(57)【要約】【課題】高炉の吹抜けの兆候を、早期に高精度に検出できる高炉操業方法を提供する。【解決手段】高炉炉口部の同一平面に設置された複数の超音波センサを用いて、炉口部平面内の複数の測定点の温度を測定し、炉口部平面の平均温度に対する複数の測定点の温度比を算出し、温度比が基準値を超えた場合に吹抜けの兆候があると判断する高炉操業方法であって、基準値を、高炉炉内における表層側の１チャージ分の鉱石層厚に対するコークス層厚の層厚比に応じて変更することを特徴とする。【選択図】図１
2018070925.tif 000002
【特許請求の範囲】
【請求項１】
高炉炉口部の同一平面に設置された複数の超音波センサを用いて、炉口部平面内の複数の測定点の温度を測定し、
前記炉口部平面の平均温度に対する前記複数の測定点の温度比を算出し、
前記温度比が基準値を超えた場合に吹抜けの兆候があると判断する高炉操業方法であって、
前記基準値を、高炉炉内における表層側の１チャージ分の鉱石層厚に対するコークス層厚の層厚比に応じて変更することを特徴とする、高炉操業方法。
【請求項２】
前記基準値を超えた測定点が２以上あり、前記２以上の測定点が予め定められた距離内にある場合に吹抜けの兆候があると判断することを特徴とする、請求項１に記載の高炉操業方法。
【請求項３】
前記予め定められた距離は、前記炉口部平面の単位面積あたりの前記複数の測定点が少ない領域では長くし、前記炉口部平面の単位面積あたりの前記複数の測定点が多い領域では短くすることを特徴とする、請求項２に記載の高炉操業方法。
【請求項４】
前記層厚比が１.０以下の位置に対応した測定点においては、前記基準値を１．５とし、前記層厚比が１．０より大きい位置に対応した測定点においては、前記基準値を前記層厚比に０．５を加えた値にすることを特徴とする、請求項１から請求項３のいずれか一項に記載の高炉操業方法。
【請求項５】
高炉炉口部の同一平面に設置された複数の超音波センサを用いて、炉口部平面内の複数の測定点の温度を測定し、
前記炉口部平面の平均温度に対する前記複数の測定点の温度比を算出し、
前記複数の測定点の間の温度比を補間することで前記炉口部平面内の温度比分布を算出し、
前記温度比分布の温度比が、基準値を超えた場合に吹抜けの兆候があると判断する高炉操業方法であって、
前記基準値を、高炉炉内における表層側の１チャージ分の鉱石層厚に対するコークス層厚の層厚比に応じて変更することを特徴とする、高炉操業方法。
【請求項６】
温度比が基準値を超える温度比領域の面積が、前記炉口部平面の面積に対して予め定められた割合以上である場合に、吹抜けの兆候があると判断することを特徴とする、請求項５に記載の高炉操業方法。
【請求項７】
前記予め定められた割合は、前記炉口部平面の単位面積あたりの前記複数の測定点が少ない領域では大きくし、前記炉口部平面の単位面積あたりの前記複数の測定点が多い領域では小さくすることを特徴とする、請求項６に記載の高炉操業方法。
【請求項８】
前記層厚比が１．０以下の位置に対応した温度比分布においては、前記基準値を１．５とし、前記層厚比が１．０より大きい位置に対応した温度比分布においては、前記基準値を前記層厚比に０．５を加えた値にすることを特徴とする、請求項５から請求項７のいずれか一項に記載の高炉操業方法。
【請求項９】
前記複数の超音波センサに加えて、複数の温度センサを用いて温度を測定することを特徴とする、請求項１から請求項８のいずれか一項に記載の高炉操業方法。
【請求項１０】
前記吹抜けの兆候があったと判断された場合に、高炉炉下部から送風する熱風の送風量を所定量低下させることを特徴とする、請求項１から請求項９のいずれか一項に記載の高炉操業方法。
【発明の詳細な説明】
【技術分野】
【０００１】
本発明は、高炉における吹抜けの兆候を検出する高炉操業方法に関する。
【背景技術】
【０００２】
高炉操業においては、コークスや鉱石の原料の降下状態を管理することが重要であり、炉下部から一定量の熱風を送り、炉上部から安定的に原料を降下させて、熱バランスを保つことが必要である。高炉炉内では炉上部から装入された原料が下降する間に、段階的に昇温、還元、溶融等の各過程を経て全体の熱的バランスが保たれている。
【０００３】
このとき、高炉炉内では、堆積した原料の間隙を通り熱風が炉下部から上昇している。高炉の水平断面を考えると間隙の大きい部分には多くの熱風が上昇し、間隙の小さい部分では相対的に少ない熱風が上昇する。通常は、高炉の中心部側に比較的粗いコークスを多く装入し、炉壁部側に比較的細かい鉱石を多く装入することで安定して原料を下降させている。そして、高炉での生産性を高く維持するために、熱風の送風量を増加させて、より多くのコークスを燃焼させ、鉱石の昇温、還元、溶融の促進を図っている。
【０００４】
しかしながら、送風量を増加させ過ぎると高炉炉内を上昇する熱風の圧力と、高炉炉内の原料の荷重とのバランスが局所的に崩れる場合がある。バランスが崩れた部分では炉内のガスが原料を吹上げて上昇するという現象が発生することがある。このような現象は、吹抜けと呼ばれる。高炉炉内の原料は、高炉中心を軸として軸対象になるように装入されているが、コークスや鉱石の装入中の粒度変化を完全に防止することはできないので、原料の間隙を完全に軸対象とすることはできない。従って、上記のような吹抜けが高炉炉内の水平断面の一部分で生じることがある。
【０００５】
高炉炉内で吹抜けが発生すると、原料が昇温、還元といった過程を経ずに落下するので、炉下部の冷却を誘引する。また、熱風ガスが保有する熱エネルギーが利用されないまま炉外に放出されるので、高炉炉内の熱バランスがくずれ、高炉炉内が冷えて炉況不調を引き起こす原因になることが多い。
【０００６】
吹抜けの発生を検出するものとして、シャフト部に設置された圧力計にて圧力を測定し、圧力の変動に基いて吹抜けを検出することが知られている。また、特許文献１には、高炉のシャフト部に複数の音響センサ、または、振動センサを設け、当該センサの測定値が予め定められた閾値を超えた表面域の面積を推定し、当該面積のシャフト全展開面積に対する比率に応じて減風量を決定して減風する方法が開示されている。さらに、炉口部に設定された固定式温度計によって炉頂部のガス温度を測定することで、ガスの温度変化を、吹抜け発生の兆候として検出する方法も知られている。
【先行技術文献】
【特許文献】
【０００７】
【特許文献１】特許第２９７０３５７号公報
【発明の概要】
【発明が解決しようとする課題】
【０００８】
高炉内の吹抜けが発生する場合、その端緒となるのは、高炉内を水平断面で見たときに炉内を上昇する熱風の圧力と原料の間隙の比較的小さな箇所での原料荷重のバランスが崩れることと考えられる。このため、この端緒を検知することで、早期に高炉の吹抜けの兆候を検出でき、これにより、早期に対策することができる。
【０００９】
しかしながら、シャフト部に設置された圧力計、音響センサ、または、振動センサでは、炉壁の圧力変動しか検出できない。このため、これらのセンサを用いた方法では、炉壁部近傍の吹抜けの兆候を検出できたとしても、それ以外の部分の吹抜けの兆候を検出できない、もしくは、その検出が遅くなるという課題があった。また、固定式温度計を用いた方法では、温度計を設置する梁が原料を炉内へ装入したときの落下ルートと干渉するので、温度計の設置位置が限られる。さらに、炉頂部のガスから温度計への伝熱に時間がある程度必要である。このように、固定式温度計を用いた方法では、温度計の設置位置が限られ、温度計が設置できない部分では、ガス温度を把握することができず、さらに、温度計を設置できた部分においても、ガス温度の測定に時間がかかるので、早期に高炉の吹抜けの兆候を検出できない、という課題があった。
【００１０】
本発明は、上述した課題を鑑みてなされたものであり、その目的は、高炉の吹抜けの兆候を、早期に高精度に検出することにある。そして、高炉の吹抜けの兆候を検出した場合に、吹抜けの進行を抑制し早期に高炉内のガス流れの乱れを安定させることで、安定した高炉操業を実現させることにある。
【課題を解決するための手段】
【００１１】
このような課題を解決するための本発明の特徴は、以下の通りである。
（１）高炉炉口部の同一平面に設置された複数の超音波センサを用いて、炉口部平面内の複数の測定点の温度を測定し、前記炉口部平面の平均温度に対する前記複数の測定点の温度比を算出し、前記温度比が基準値を超えた場合に吹抜けの兆候があると判断する高炉操業方法であって、前記基準値を、高炉炉内における表層側の１チャージ分の鉱石層厚に対するコークス層厚の層厚比に応じて変更することを特徴とする、高炉操業方法。
（２）前記基準値を超えた測定点が２以上あり、前記２以上の測定点が予め定められた距離内にある場合に吹抜けの兆候があると判断することを特徴とする、（１）に記載の高炉操業方法。
（３）前記予め定められた距離は、前記炉口部平面の単位面積あたりの前記複数の測定点が少ない領域では長くし、前記炉口部平面の単位面積あたりの前記複数の測定点が多い領域では短くすることを特徴とする、（２）に記載の高炉操業方法。
（４）前記層厚比が１.０以下の位置に対応した測定点においては、前記基準値を１．５とし、前記層厚比が１．０より大きい位置に対応した測定点においては、前記基準値を前記層厚比に０．５を加えた値にすることを特徴とする、（１）から（３）のいずれか一項に記載の高炉操業方法。
（５）高炉炉口部の同一平面に設置された複数の超音波センサを用いて、炉口部平面内の複数の測定点の温度を測定し、前記炉口部平面の平均温度に対する前記複数の測定点の温度比を算出し、前記複数の測定点の間の温度比を補間することで前記炉口部平面内の温度比分布を算出し、前記温度比分布の温度比が、基準値を超えた場合に吹抜けの兆候があると判断する高炉操業方法であって、前記基準値を、高炉炉内における表層側の１チャージ分の鉱石層厚に対するコークス層厚の層厚比に応じて変更することを特徴とする、高炉操業方法。
（６）温度比が基準値を超える温度比領域の面積が、前記炉口部平面の面積に対して予め定められた割合以上である場合に、吹抜けの兆候があると判断することを特徴とする、（５）に記載の高炉操業方法。
（７）前記予め定められた割合は、前記炉口部平面の単位面積あたりの前記複数の測定点が少ない領域では大きくし、前記炉口部平面の単位面積あたりの前記複数の測定点が多い領域では小さくすることを特徴とする、（６）に記載の高炉操業方法。
（８）前記層厚比が１．０以下の位置に対応した温度比分布においては、前記基準値を１．５とし、前記層厚比が１．０より大きい位置に対応した温度比分布においては、前記基準値を前記層厚比に０．５を加えた値にすることを特徴とする、（５）から（７）のいずれか一項に記載の高炉操業方法。
（９）前記複数の超音波センサに加えて、複数の温度センサを用いて温度を測定することを特徴とする、（１）から（８）のいずれか一項に記載の高炉操業方法。
（１０）前記吹抜けの兆候があったと判断された場合に、高炉炉下部から送風する熱風の送風量を所定量低下させることを特徴とする、（１）から（９）のいずれか一項に記載の高炉操業方法。
【発明の効果】
【００１２】
本発明によれば、超音波センサを用いて炉口部平面内の複数の測定点の温度を略連続的に測定し、炉口部平面の平均温度に対する測定点の温度比を用いて高炉の吹抜けの兆候の有無を判断するので、高炉の吹抜けの兆候を早期に検出できる。また、本発明によれば、炉口部平面の平均温度に対する温度比を用いるので、炉口部平面全体の温度が上昇した場合であっても吹抜けの兆候があると誤検知することがなく、鉱石層厚に対するコークス層厚の層厚比によって、吹抜けの兆候があると判断する温度比の基準値を変えるので、通気性の良いコークス層の層厚が厚くなり、その部分に対応した位置の炉口部平面内の測定点の温度が上昇した場合であっても吹抜けの兆候があると誤検知することがない。このように、本発明の高炉操業方法を実施することで、炉口部平面全体の温度上昇及びコークス層の層厚が厚くなることによる温度上昇の影響を除きながら、早期に高精度に高炉の吹抜けの兆候を検出できる。
【図面の簡単な説明】
【００１３】
【図１】本実施形態に係る高炉操業方法が実施できる超音波温度計測システム１０の一例を示す図である。
【図２】プロフィール測定機２２を含む高炉３０の断面模式図である。
【図３】層厚比分布および温度比分布の一例を示す。
【図４】層厚比と温度比との関係を示したグラフである。
【図５】吹抜けの兆候が発生した状態の炉口部平面内の温度比分布である。
【図６】層厚比と温度比との関係を示したグラフである。
【図７】炉口部平面内における複数の測定点を示す図である。
【図８】炉口部平面内における複数の測定点を示す図である。
【図９】炉口部平面内における温度比分布を示す図である。
【発明を実施するための形態】
【００１４】
高炉操業においては、高炉炉内の中心部に比較的粗いコークスを多く装入し、炉壁部に比較的細かい鉱石を多く装入しているので、炉口部空間における水平面（以後、炉口部平面と記載する）のガス温度を考えると、通常は、炉中心部に高温ガスが流れ、炉壁方向に向けて徐々にガス温度が低下する。しかし、高炉内で吹抜けが発生すると、その端緒は、高炉内の一部分に熱風と原料荷重のバランスが崩れることにあるので、その部分では熱風が吹上げ、原料への伝熱が十分行われないまま炉頂へ吹き出す。このため、吹抜けが始まった部分のガス温度は急激に上昇する。
【００１５】
このため、炉口部平面内の複数の測定点の温度を略連続的に測定することができれば、吹抜けが始まった部分のガス温度の上昇を早期に検出することができ、早期に高炉の吹抜けの兆候を検出できると考えられる。
【００１６】
一方、炉口部平面内の測定点の温度は、炉口部平面全体の温度上昇や、通気性の良いコークス層が厚くなり通気性が向上することでも上昇する。したがって、炉口部平面全体の温度上昇の影響や、コークス層の層厚の温度上昇への影響を除くことで、高い精度で吹抜けの兆候を検出できると考えられる。
【００１７】
発明者らは、炉口部の同一平面に設置された複数の超音波センサを用いて、炉口部平面内の複数の測定点の温度が略連続的に測定できることに着目し、これら複数の測定点で温度上昇が見られた場合に吹抜けの兆候があったと判断することで、高炉の吹抜けの兆候を早期に検出できることを見出した。
【００１８】
さらに、発明者らは、炉口部平面全体の温度上昇や、通気性の良いコークス層の層厚が厚くなって通気性が向上することによる吹抜けの誤検知を考慮して、炉口部平面内の温度上昇を、炉口部平面の平均温度に対する測定点の温度比の上昇で判断するとともに、吹抜けの兆候の有無の基準値を鉱石層厚に対するコークス層厚の層厚比に応じて変える。これにより、炉口部平面全体の温度上昇やコークス層の層厚が厚くなることによる温度上昇の影響を除くことができることを見出して発明を完成させた。以下、発明の実施形態を通じて本発明を説明する。
【００１９】
図１は、本実施形態に係る高炉操業方法が実施できる超音波温度計測システム１０の一例を示す。超音波温度計測システム１０は、高炉３０の炉口部に沿って同一平面上に等間隔で１０個設けられた超音波センサ１２と、処理装置１４と、プロフィール測定機２２とを備える。超音波センサ１２は、超音波を発信する発信機と、発信された超音波を受信する受信機とを有する。また、処理装置１４は、制御部１６と、表示部１８と、格納部２０とを有する。
【００２０】
処理装置１４は、例えば、ワークステーションやパソコン等の汎用コンピュータである。制御部１６は、例えば、ＣＰＵ等であって、格納部２０に保存されたプログラムやデータを用いて、超音波温度計測システム１０の動作を制御し、所定の演算を実行する。表示部１８は、例えば、ＬＣＤまたはＣＲＴディスプレイ等である。格納部２０は、例えば、更新記録可能なフラッシュメモリ、内蔵あるいはデータ通信端子で接続されたハードディスク、メモリーカード等の情報記録媒体およびその読み書き装置である。格納部２０には、超音波温度計測システム１０が有する種々の機能を実現するためのプログラムや、当該プログラム実行中に使用するデータ等が予め格納されている。
【００２１】
高炉操業中において、任意の超音波センサ１２からの超音波を発信し、他の全ての超音波センサ１２で当該超音波を受信する。超音波センサ１２からの超音波の発信は、制御部１６の制御によって、例えば、任意の超音波センサ１２から時計回りに順番に繰り返し実行される。それぞれの超音波センサ１２は、超音波を発信した発信時間、または、当該超音波を受信した受信時間を制御部１６に出力する。
【００２２】
１つの発信時間に対応した９つの受信時間を９つのデータとし、これら９つのデータを１セットのデータとすると、制御部１６は、１０個の超音波センサ１２から１０セットのデータを取得する。制御部１６は、予め、格納部２０に格納されているそれぞれの超音波センサ１２間の距離を読み出し、発信時間、受信時間および超音波センサ１２間の距離を用いて、それぞれの超音波センサ１２間の音速を算出する。音速は、炉口部空間の温度により変化するので、以下の（１）式によりそれぞれの超音波センサ１２間の温度を算出できる。
【００２３】
Ｃ＝３３１．５×（（２７３＋Ｔ）／２７３）・・・（１）
但し、（１）式において、Ｃは、超音波センサ１２間の音速（ｍ／ｓ）であり、Ｔは、超音波センサ１２間の温度（℃）である。なお、（１）式の計算において、より精度を上げるために、炉頂ガスの成分や圧力による補正を加えてもよい。
【００２４】
制御部１６は、超音波センサ１２間の温度を用いて、それぞれの超音波センサ１２を接続した線が交差する複数の測定点の温度を算出する。制御部１６は、例えば、複数の測定点の時間（温度の関数）と複数の測定点までの既知の距離とから算出される時間の和が、それぞれの超音波センサ１２間の受信時間を再現できるように算出する。
【００２５】
超音波センサ１２からの超音波の発信および受信は、精度を保持できる範囲内でなるべく短時間に行うことが好ましい。本実施形態においては、例えば、１つの超音波センサ１２から超音波を４秒間発信しながら他の超音波センサ１２で当該超音波を受信する。その後、２秒間インタバルを置き、他の一つの超音波センサ１２からの超音波の発信とその他の一つの超音波センサ１２以外の超音波センサによる受信を行う、ということを同様に繰り返す。図１に示した例においては、１０個の超音波センサ１２を備えるので、制御部１６は、６０秒ごとに炉口部平面内の複数の測定点の温度を算出することになる。
【００２６】
制御部１６は、炉口部平面内の複数の測定点の温度を算出すると、炉口部平面の平均温度に対する当該複数の測定点の温度比を算出して表示部１８に表示する。これにより、使用者は、炉口部平面の平均温度に対する測定点の温度比を確認できる。また、制御部１６は、上述した動作を繰り返し実行して炉口部平面内の測定点の温度比を算出し、表示部１８に表示した炉口部平面内の温度比を更新する。このようにして、超音波温度計測システム１０は、炉口部平面内の測定点の温度比を略連続的に測定する。
【００２７】
本実施形態において、超音波温度計測システム１０は、１０個の超音波センサ１２を備える。１つの超音波センサ１２から４秒間発信しながら他の超音波センサ１２で当該超音波を受信し、その後、２秒間インタバルをおくので、制御部１６は、６０秒間で９０個のデータを取得する。しかしながら、９０個のデータのうち、４５個のデータは、同じ超音波センサ１２間を逆に測定した重複するデータになる。すなわち、１回目の測定で得られる１セットのデータには重複するものはないが、２回目以降の測定から１セットのデータに含まれる前の測定と重複するデータが１つずつ増える。
【００２８】
このように、測定を繰り返すごとに重複するデータが増えるので、炉口部平面内の複数の測定点の温度比を更新する場合においては、一部前のデータを用いて、３０秒ごとに炉口部平面内の温度比を更新することが好ましく、さらには、制御部１６が１セットのデータを取得するごとに、すなわち、６秒ごとに炉口部平面内の温度比を更新することがより好ましい。
【００２９】
また、制御部１６は、炉口部平面内の複数の測定点の温度比を用いて、炉口部平面内の温度比分布を算出し、表示部１８に炉口部平面内の温度比分布を表示してもよい。この場合に、制御部１６は、例えば、複数の測定点の間の温度比は、その距離に比例して変化するとして測定点間の温度比を補間し、炉口部平面内の温度比分布を算出する。
【００３０】
プロフィール測定機２２は、高炉炉内における表層側の鉱石層またはコークス層の表面プロフィールをマイクロ波によって測定する。図２は、プロフィール測定機２２を含む高炉３０の断面模式図である。プロフィール測定機２２は、マイクロ波送受信機２４と、反射角度が可変の反射板２６とを有する。
【００３１】
プロフィール測定機２２の動作を鉱石層の表面プロフィールの測定を例に説明する。マイクロ波送受信機２４は、反射板２６に向けて周波数を時間に対して直線的に変化させたマイクロ波を出力する。反射板２６によって反射されたマイクロ波は、高炉内の鉱石層に反射され、再び、反射板２６に反射されてマイクロ波送受信機２４で受信される。受信時に出力しているマイクロ波の周波数と、受信したマイクロ波の周波数との差は、マイクロ波を出力してから再びマイクロ波を受信するまでの時間に比例するので、マイクロ波の周波数の差から算出される時間とマイクロ波の速度とから、マイクロ波送受信機２４と鉱石層までの距離が算出できる。そして、反射板２６の角度を変えて、鉱石層の表面を走査することで、鉱石層の表面プロフィールが測定される。プロフィール測定機２２は、１チャージ分の鉱石が高炉に装入され、鉱石層が形成される毎に鉱石層の表面プロフィールを測定する。なお、１チャージ分の鉱石を複数のバッチに分けて装入される場合においても、プロフィール測定機２２は、複数のバッチの鉱石が装入され、１チャージ分の鉱石が装入された後に形成される鉱石層の表面プロフィールを測定する。
【００３２】
プロフィール測定機２２は、鉱石層の表面プロフィールを測定すると、鉱石層の表面プロフィールデータを制御部１６に出力する。制御部１６は、プロフィール測定機２２から鉱石層の表面プロフィールデータを取得すると、その直前に取得したコークス層の表面プロフィールデータを用いて鉱石層に対するコークス層の層厚比分布を算出する。なお、コークス層についても同様に、プロフィール測定機２２によって表面プロフィールが測定され、その直前に取得した鉱石層の表面プロフィールデータを用いて鉱石層に対するコークス層の層厚比分布が算出される。制御部１６は、算出した層厚比分布を表示部１８に表示する。これにより、使用者は、鉱石層に対するコークス層の層厚比分布を確認できる。
【００３３】
図３は、層厚比分布および温度比分布の一例を示す。図３（ａ）に示した層厚比分布および図３（ｂ）に示した温度比分布は、安定した高炉操業が行なわれる状態の層厚比分布および温度比分布である。高炉の中心部側に粗いコークスを装入するので、高炉の中心側の鉱石層に対するコークス層の層厚比は高くなっている。このため、高炉の中心側は比較的高温のガスが流れ、炉壁部には比較的低温のガスが流れるので温度比も炉中心側が高くなり、炉壁側は低くなる。
【００３４】
次に、炉口部平面内の測定点の温度比と、鉱石層に対するコークス層の層厚比との関係について説明する。高炉に装入する原料として算術平均粒径２０ｍｍの鉱石と、算術平均粒径４５ｍｍのコークスとを用いた場合であって、安定した高炉操業が行われている状態の炉口部平面内の測定点の温度比と、当該測定点の位置に対応した鉱石層またはコークス層の位置における層厚比との関係を調査した所、図４に示すグラフを得た。なお、算術平均粒径とは、Σ（Ｖｉ×ｄｉ）／Σ（Ｖｉ）（但し、Ｖｉ：粒子径ｄｉである粒子の存在比率であり、粒子径ｄｉは、各篩の篩目の中間粒径）で定義される算術平均粒径を意味する。
【００３５】
図４は、層厚比と温度比との関係を示したグラフである。図４において、横軸は、層厚比（−）であり、縦軸は、温度比（−）である。また、破線は、安定した高炉操業が行われている状態における温度比の上下限である。なお、本実施形態において、炉口部平面内の測定点の位置に対応した鉱石層またはコークス層の位置とは、炉口部平面内の測定点から鉛直下方向に延ばした線が鉱石層またはコークス層に交わる位置を意味し、層厚比の位置に対応した測定点とは、層厚比を測定した位置から鉛直上方向に延ばした線が炉口部平面に交わる位置の測定点を意味する。
【００３６】
調査の結果、安定した高炉操業が行われている状態において、層厚比が１.０以下の位置に対応した測定点の温度比は、層厚比に関わらず０．５〜１．５の範囲内になることがわかった。一方、層厚比が１.０を超える位置に対応した測定点の温度比は、層厚比とともに高くなり、層厚比から０．５を減じた値から層厚比に０．５を加えた値の範囲内になることがわかった。なお、この層厚比に対する温度比の傾向は、コークス層が装入された後に算出された層厚比であっても、鉱石層が装入された後に算出された層厚比であっても変わらないことを確認している。
【００３７】
図５は、吹抜けの兆候が発生した状態の炉口部平面内の温度比分布である。図５に示した例においては、吹抜けの兆候が発生して炉口部平面内に高温領域が発生し、その高温領域の温度比が高くなっている。
【００３８】
図６は、層厚比と温度比との関係を示したグラフである。図６において、菱形プロットは、図５に示した高温領域における１つの測定点の層厚比および温度比を示している。図６に示すように、吹抜けの兆候によって生じた高温領域では、安定した高炉操業が行なわれている状態の温度比の範囲を超える温度比が観測される。したがって、制御部１６によって算出される温度比を監視し、安定した高炉操業が行なわれている状態の温度比の範囲を超える温度比を検出することで、吹抜けの兆候を検出できることがわかる。
【００３９】
本実施形態において、制御部１６は、略連続的に更新される炉口部平面内の温度比を監視し、鉱石層に対するコークス層の層厚比を算出し、層厚比が１.０以下の位置に対応した測定点では、温度比１．５を基準値として当該基準値を超えた測定点を検出した場合に吹抜けの兆候があったと判断し、層厚比が１.０より大きい位置に対応した測定点においては、層厚比に０．５を加えた温度比を基準値として当該基準値を超えた場合に吹抜けの兆候があると判断する。このように、本実施形態では、吹抜けの兆候の有無を判断する基準値を高炉炉内における層厚比に応じて変更している。
【００４０】
炉口部平面内の測定点の温度は、炉口部平面全体の温度が上昇しても上昇し、通気性のよいコークス層の層厚が厚くなることでも上昇する。これらの温度上昇は、吹抜けによって生じる温度上昇とは関係がないので、吹抜けを検出する際には、これらの影響を除くことが好ましい。本実施形態においては、炉口部平面内の温度を炉口部平面の平均温度に対する測定点の温度比に基づいて吹抜けの兆候を検出するので、炉口部平面全体の温度上昇の影響を除くことができる。さらに、吹抜けの兆候の有無を判断する基準値を層厚比に応じて変更するので、コークス層厚が厚くなることによる温度上昇の影響をも除くことができる。これにより、炉口部平面内の測定点の温度上昇に基づいて吹抜けの兆候を検出する場合よりも高い精度で吹抜けの兆候を検出できる。
【００４１】
なお、上述した実施形態においては、炉口部平面内の測定点の温度比に基づいて吹抜けの兆候の有無を判断する例を示したが、炉口部平面内の温度比分布に基づいて吹抜けの兆候の有無を判断してもよい。この場合に、制御部１６は、層厚比が１.０以下の位置に対応した温度比分布においては、温度比１．５を基準値として当該基準値を超えた温度比を検出した場合に吹抜けの兆候があったと判断し、層厚比が１.０より大きい位置に対応した温度比分布においては、層厚比に０．５を加えた温度比を基準値として当該基準値を超えた温度比を検出した場合に、吹抜けの兆候があると判断する。
【００４２】
制御部１６は、吹抜けの兆候があると判断した場合に、高炉の炉下部から送風する熱風の送風量を１００Ｎｍ３／ｍｉｎ以上低下させる。これにより、高炉内における吹抜けの進行を抑制し、炉況を回復させ、早期にガス流れの乱れを安定させることができる。なお、本実施形態において、１００Ｎｍ３／ｍｉｎ以上は送風量を低下させる所定量の一例である。また、送風量の低下量は、少なくとも１００Ｎｍ３／ｍｉｎ以上であればよく、上昇した温度に応じて、温度が高い場合には、１００Ｎｍ３／ｍｉｎより多く低下させてもよい。また、上記所定量を、変更前の送風量に対する減少割合で規定してもよく、例えば、１％以上低下させるとしてもよい。ただし、本実施形態においては、高炉内の部分的な吹く抜け減少を早期に兆候として把握できるので、送風量の低下量を多くし過ぎると炉内全体の圧力バランスを過剰に変更してしまうおそれがあるので、送風量の低下量の上限を１０００Ｎｍ３／ｍｉｎ以下、あるいは減少割合で１０％以下とすることが好ましい。
【００４３】
本実施形態において、制御部１６は、層厚比に応じた温度比を用いて吹抜けの兆候を検出するが、これに加えて、予め定められた距離内にある２以上の測定点の温度比が基準値よりも高くなった場合に吹抜けの兆候があると判断してもよい。これにより、さらに高精度に吹抜けの兆候を検出できる。
【００４４】
図７および図８を用いて、予め定められた距離内にある２以上の測定点の温度比が基準値よりも高くなった場合に吹抜けの兆候があると判断する方法について説明する。図７は、炉口部平面内における複数の測定点を示す。図７（ａ）は、炉口部平面全体を示す図であり、図７（ｂ）は、その部分拡大図である。図７（ｂ）において、測定点５０、測定点５２、測定点５４が、温度比の基準値を超えた測定点であるとし、当該測定点の温度比が鉱石層の表面プロフィールが測定され、次チャージのコークス層の表面プロフィールが測定されるまでに算出されたとして説明する。
【００４５】
制御部１６は、炉口部平面内の複数の測定点の温度比を算出すると、鉱石層の表面プロフィールデータと、その前に取得したコークス層の表面プロフィールデータとを用いて算出された層厚比分布を用いて、温度比が基準値を超えた測定点５０、測定点５２、測定点５４を特定する。制御部１６は、特定した測定点５０、測定点５２、測定点５４のそれぞれから予め定められた距離を半径とした円６０、円６２、円６４を作成する。制御部１６は、作成された円６０、円６２、円６４のいずれかに温度比が基準値を超えた他の測定点が少なくとも１つ含まれる、すなわち、予め定められた距離内温度比が基準値を超えた測定点が２以上ある場合に、吹抜けの兆候があった判断する。
【００４６】
図７（ｂ）に示した例においては、測定点５０を中心とした円６０の中に、測定点５２および測定点５４が含まれる。また、測定点５２を中心とした円６２の中に、測定点５０および測定点５４が含まれる。さらに、測定点５４を中心とした円６４の中に、測定点５０および測定点５２が含まれる。このように、図７（ｂ）に示した例においては、測定点５０を中心とした円６０の中に温度比が基準値を超えた測定点５２および測定点５４が含まれるので、制御部１６は、吹抜けの兆候があると判断して、表示部１８に吹抜けの兆候がある旨を表示する。
【００４７】
なお、図７（ｂ）に示した例においては、測定点５０を中心とした円６０の中に、測定点５２および測定点５４が含まれる例を示したが、測定点５０を中心とした円６０の中に、測定点５２が含まれ、測定点５４が含まれない場合であっても制御部１６は、吹抜けの兆候があると判断する。また、仮に、測定点５４を中心とする円６４に測定点５０および測定点５２が含まれない場合であっても、測定点５０を中心とした円６０の中に、測定点５２が含まれる場合には制御部１６は、吹抜けの兆候があると判断する。
【００４８】
図８は、炉口部平面内における複数の測定点を示す。図８（ａ）は、炉口部平面全体を示す図であり、図８（ｂ）は、その部分拡大図である。図８（ｂ）において、測定点５６、測定点５８が、温度比の基準値を超えた測定点であるとする。
【００４９】
図８（ｂ）に示した場合において、制御部１６は、図７（ｂ）で説明したように、温度比が基準値を超えた測定点５６、測定点５８を特定し、測定点５６、測定点５８のそれぞれから予め定められた距離を半径とした円６６、円６８を作成する。なお、円６６および円６８の半径は、図７（ｂ）における円６０、円６２、円６４の半径と同じである。
【００５０】
図８（ｂ）に示した例においては、測定点５６を中心とした円６６の中に、温度比が基準値を超えた測定点５８は含まれない。また、測定点５８を中心とした円６８の中に、温度比が基準値を超えた測定点６６は含まれない。このように、図８（ｂ）に示した例においては、予め定められた距離内に温度比が基準値を超えた測定点が２以上ないので、制御部１６は、吹抜けの兆候がないと判断する。なお、制御部１６は、吹抜けの兆候がないと判断した場合に、その旨を表示部１８に表示してもよい。
【００５１】
このように、本実施形態では、予め定められた距離内に基準値を超えた温度比となった測定点が２以上ある場合に、制御部１６は、吹抜けの兆候があると判断する。これにより、吹抜けの兆候がないのに、何らかの不具合で１つの測定点の温度比が基準値を超えたとしても、そのことで吹抜けの兆候があると制御部１６が誤検出することを回避でき、より高精度に高炉の吹抜けの兆候を検出できるようになる。また、何らかの不具合で２以上の測定点の温度比が基準値を超えたとしても、それらの測定点が予め定められた距離内になければ、吹抜けの兆候があると誤検出することがない。
【００５２】
高炉の吹抜けが発生すると、吹抜け部から高温の熱風が吹き上げられ、その高温領域は徐々に広がる。このため、吹抜けの兆候としては近接した複数の測定点の温度が高温になる。このため、予め定められた距離内の２以上の測定点の温度比が基準値を超えた場合に、吹抜けの兆候があると判断することで、制御部１６は、吹抜けの誤検知を抑制しながら、早期に高炉の吹抜けの兆候を検出できる。
【００５３】
なお、予め定められた距離は、以下に示す方法で予め定めてよい。本実施形態においては、複数の測定点を中心に円を作成し、当該円に他の測定点が含まれる最小の半径を求める。そして、炉口部平面におけるそれぞれの測定点で求められた最小の半径のうち、最大の値を予め定められた距離としてよい。このように、最大の値を予め定められた距離とすることで、予め定められた距離内に２つの測定点が含まれない状況を回避できる。
【００５４】
また、図１に示したように、超音波センサ１２を１０個設けた場合であって、上述した方法で予め定めた距離を定めると、最小の半径は、炉口部平面の単位面積あたりの測定点が多い炉壁部側の領域では小さい半径となる一方で、炉口部平面の単位面積あたりの測定点が少ない中心部側の領域では大きい半径となる。そのため、上述した方法に従うと、予め定められた距離は、これらの半径のうち最大の値とするので、予め定められた距離としては、炉中心側の領域に対応した大きい半径が採用される。
【００５５】
予め定められた距離を大きい半径にして、炉口部平面の単位面積あたりの測定点が多い炉壁部側の領域における吹抜けの兆候の有無を判断すると、半径が大きいので、ある測定点に近接する測定点だけでなく、近接しない他の測定点を含む円になり、近接した２つの測定点の温度上昇に基づいて吹抜けを検出できないおそれが生じる。このため、予め定められた距離を、炉口部平面の単位面積あたりの測定点の数が少ない領域では長くし、炉口部平面の単位面積あたりの測定点の数が多い領域では短くしてもよい。例えば、炉口部平面の単位面積あたりの測定点の数が少ない中心部側の領域と、炉口部平面の単位面積あたりの測定点の数が多い炉壁部側の領域とに分け、これらの領域のそれぞれで上述した方法を用いて予め定められた距離を決定する。このように、炉口部平面の単位面積あたりの測定点の数に基づいて予め定められた距離を決定することで、さらに誤検知を少なくし、高精度に高炉の吹抜けの兆候を検出できる。
【００５６】
なお、制御部１６が、層厚比に応じた温度比分布を用いて吹抜けの兆候を検出する場合には、温度比分布において基準値を超えた温度比領域の面積が、炉口部平面の面積に対して予め定められた割合以上である場合に、吹抜けの兆候があると判断してもよい。図９を用いて、基準値を超えた温度比領域の面積が、炉口部平面の面積に対して予め定められた割合以上である場合に吹抜けの兆候があると判断する方法について説明する。
【００５７】
図９は、炉口部平面内における温度比分布を示す。図９において、温度比領域４４は、温度比が基準値を超えた温度比領域であるとする。制御部１６は、炉口部平面内の温度比分布を算出すると、鉱石層の表面プロフィールデータと、その前に取得したコークス層の表面プロフィールデータとを用いて算出された層厚比分布を用いて、温度比が基準値を超えた温度比領域を特定し、当該温度比領域の面積を測定する。
【００５８】
制御部１６は、予め格納された炉口部平面の面積を示すデータを格納部２０から読み出し、炉口部平面の面積に対する温度比が基準値を超えた温度比領域の割合を算出する。制御部１６は、当該割合が５％以上であった場合に、高炉の吹抜けの兆候があると判断する。なお、５％は、予め定められた割合の一例である。予め定められた割合は、炉口部平面の単位面積あたりの測定点の数によって定めてよく、炉口部平面の単位面積あたりの測定点の数が少ない領域では当該割合を大きくし、炉口部平面の単位面積あたりの測定点の数が少ない領域では割合を小さくしてよい。
【００５９】
図９に示した例において、温度比領域４４の面積は、炉口部平面の面積の６％である。このように、図９に示した例においては、基準値を超えた温度比領域４４の面積が５％以上であるので、制御部１６は、高炉の吹抜けの兆候があると判断し、表示部１８に高炉の吹抜けの兆候がある旨を表示する。
【００６０】
一方、温度比分布において基準値を超えた温度比領域の面積の割合が、炉口部平面の面積の５％未満の場合、制御部１６は、高炉の吹抜けの兆候はないと判断する。なお、制御部１６は、高炉の吹抜けの兆候がないと判断した場合に、その旨を表示部１８に表示してもよい。
【００６１】
吹抜けの兆候がないのに、何らかの不具合で局所的に基準値を超えた温度比領域が生じたとしても、他の温度比領域は基準値を超えないので、基準値を超えた温度比領域の面積は狭くなる。本実施形態において、制御部１６は、温度比分布において温度比が基準値を超えた温度比領域であって、当該温度比領域の面積が炉口部平面の面積に対して５％以上である場合に、高炉に吹抜けの兆候があると判断する。これにより、何らかの不具合で局所的に温度比が基準値を超えた部分が生じた場合に、吹抜けの兆候を誤検出することを回避できる。このように、温度比分布における温度比が基準値を超えた温度比領域の面積の割合が、炉口部平面の面積の５％以上である場合に高炉の吹抜けの兆候があると判断することで、制御部１６は、吹抜けの兆候を誤検出することを回避し、高精度に吹抜けの兆候を検出できる。
【００６２】
なお、本実施形態においては、制御部１６が吹抜けの兆候があると判断した場合に、制御部１６が高炉３０の炉下部から送風する熱風の送風量を１００Ｎｍ３／ｍｉｎ以上低下させる例を示したがこれに限られない。例えば、使用者が表示部１８に表示された層厚比と、炉口部平面内の複数の測定点の温度比または温度比分布を確認し、上述した方法に従って吹抜けの兆候の有無を判断し、吹抜けの兆候があると判断した場合に、使用者の操作によって高炉３０の炉下部からの熱風の送風量を１００Ｎｍ３／ｍｉｎ以上低下させてもよい。
【００６３】
また、本実施形態においては、炉口部周面に超音波センサ１２を設けて炉口部平面内の温度を測定する例を示したが、超音波センサに加えて固定式温度センサを複数設けてもよい。固定式の温度センサを炉口部平面内における複数の測定点がない位置に設けることで、炉口部平面内における温度測定位置を追加できる。これにより、炉口部平面内の温度をより詳細に測定でき、温度測定精度を向上できる。
【００６４】
また、本実施形態においては、超音波温度計測システム１０が超音波センサ１２を１０個備える例を示したが、超音波センサ１２の数は１０個に限られず、少なくとも５個以上あればよい。さらに、超音波センサ１２を高炉３０の炉口部に沿って等間隔に設けた例を示したが、これに限られない。超音波センサ１２を接続した線が交差する測定点の数を増やすことを目的として、超音波センサ１２の設置間隔をそれぞれ変えてもよい。
【００６５】
以上、本発明を実施の形態を用いて説明したが、本発明の技術的範囲は上記実施の形態に記載の範囲に限定するものではない。上記実施の形態に、多様な変更または改良を加えることが可能であることが当業者には明らかである。その様な変更または改良を加えた形態も本発明の技術的範囲に含まれ得ることが、特許請求の範囲の記載から明らかである。
【００６６】
また、特許請求の範囲、明細書、および図面中に示した装置、システムおよび方法における動作の実行順序は、特段「より前に」、「先立って」等と明示しておらず、また、前の処理の出力を後の処理で用いるものでない限り、任意の順序で実現し得ることに留意すべきである。特許請求の範囲、明細書において、便宜上「まず、」、「次に、」等を用いて説明したとしても、この順で実施することが必須であることを意味するものではない。
【符号の説明】
【００６７】
１０  超音波温度計測システム
１２  超音波センサ
１４  処理装置
１６  制御部
１８  表示部
２０  格納部
２２  プロフィール測定機
２４  マイクロ波送受信機
２６  反射板
３０  高炉
４０  温度比領域
５０  測定点
５２  測定点
５４  測定点
５６  測定点
５８  測定点
６０  円
６２  円
６４  円
６６  円
６８  円
【図１】
2018070925.tif 000003
【図２】
2018070925.tif 000004
【図３】
2018070925.tif 000005
【図４】
2018070925.tif 000006
【図５】
2018070925.tif 000007
【図６】
2018070925.tif 000008
【図７】
2018070925.tif 000009
【図８】
2018070925.tif 000010
【図９】
2018070925.tif 000011